(57)【要約】  多数の接地線および信号線を有する、多重ワイヤケーブルアセンブリ用コネクタシェルは、接地電位を有するハウジング１８と、長手方向アレイ４４に配置される多数のコンタクト要素４６と、を含む。コンタクト要素４６は、嵌め合いコネクタのコンタクト要素と電気的接触するために設けられ、かつ（ｉ）多重ワイヤケーブルアセンブリの接地線に接続するための接地コンタクト要素４０と、（ｉｉ）多重ワイヤケーブルアセンブリの信号線に接続するための信号コンタクト要素４２と、を含む。長手方向接地プレート２４は、コンタクト要素４６のアレイ４４に沿ってかつその長手方向に延在し、該接地プレート２４は、二つの側端縁２８を有し、その少なくとも一方は、ハウジング１８の接地電位との電気的接続のために設けられる。接地プレート２４は、接地コンタクト要素４０がそれを通して延在する貫通孔６２を含む。貫通孔６２では、接地コンタクト要素４０は、接地プレート２４に電気的に接続される。
2007534110.tif 000002
【特許請求の範囲】
【請求項１】
多数の接地線および信号線を有する、多重ワイヤケーブルアセンブリ用コネクタシェルであって、前記コネクタシェルは、
接地電位を有するハウジング（１８）と、
長手方向アレイ（４４）に配置される多数のコンタクト要素（４６）であって、前記コンタクト要素（４６）は、嵌め合いコネクタのコンタクト要素と電気的接触するために設けられ、かつ
（ｉ）前記多重ワイヤケーブルアセンブリの前記接地線に接続するための接地コンタクト要素（４０）と、
（ｉｉ）前記多重ワイヤケーブルアセンブリの前記信号線に接続するための信号コンタクト要素（４２）とを含む、コンタクト要素（４６）と、
前記コンタクト要素（４６）の前記アレイ（４４）に沿ってかつその長手方向に延在する長手方向接地プレート（２４）であって、前記接地プレート（２４）は、二つの側端縁（２８）を有し、少なくともその一方は、前記ハウジング（１８）の前記接地電位との電気的接続のために設けられる、長手方向接地プレート（２４）と、を含み、
前記接地プレート（２４）は、前記接地コンタクト要素（４０）がそれを通して延在する貫通孔（６２）を含み、かつ
前記貫通孔（６２）では、前記接地コンタクト要素（４０）は、前記接地プレート（２４）に電気的に接続される、コネクタシェル。
【請求項２】
前記接地プレート（２４）は、前記信号コンタクト要素（４２）が、前記接地プレート（２４）と接触することなく、それを通して延在する少なくとも一つの切欠部（６０）を有する、請求項１に記載のコネクタシェル。
【請求項３】
前記接地プレート（２４）は、いくつかの切欠部（６０）を有し、かつ前記切欠部（６０）の各々は、それを通して少なくとも一つの信号コンタクト要素（４２）が、前記接地プレート（２４）と接触することなく延在する、請求項１に記載のコネクタシェル。
【請求項４】
前記切欠部（６０）は、前記接地プレート（２４）の貫通孔として設計され、かつこれらの貫通孔の各々は、それを通して信号コンタクト要素（４２）が、前記信号コンタクト要素（４２）が前記それぞれの貫通孔の端縁から電気的絶縁された状態で延在する、請求項３に記載のコネクタシェル。
【請求項５】
前記信号コンタクト要素（４２）は、切欠部（６０）すなわち貫通孔の端縁から間隔をあけられている、請求項２乃至４のいずれか一項に記載のコネクタシェル。
【請求項６】
前記コンタクト要素（４６）の前記長手方向アレイ（４４）は、少なくとも一横列の接地コンタクト要素（４０）と、少なくとも一横列の信号コンタクト要素（４２）とを含み、前記横列の接地および信号コンタクト要素（４０、４２）は、互いに隣接して配置される、請求項１乃至５のいずれか一項に記載のコネクタシェル。
【請求項７】
前記信号コンタクト要素の横列の一つ、あるいは前記少なくとも一つの信号コンタクト要素の横列は、前記接地プレート（２４）の前記接地された側端縁（２８）に対向して配置され、かつ前記接地プレート（２４）は、前記信号コンタクト要素の横列の前記信号コンタクト要素（４２）が、前記接地された側端縁（２８）に対向して、それを通して延在する切欠部（６０）を含む、請求項６に記載のコネクタシェル。
【請求項８】
前記コンタクト要素アレイ（４４）は、二つの接地コンタクト要素の横列と、二つの信号コンタクト要素の横列とを含み、前記二つの信号コンタクト要素の横列は、互いに隣接してかつ前記二つの接地コンタクト要素の横列間に配置され、かつ前記接地プレート（２４）は、いくつかの切欠部分を含み、それを通して少なくとも一つの信号コンタクト要素（４２）が延在する、請求項５または６に記載のコネクタシェル。
【請求項９】
前記接地プレート（２４）は、前記信号コンタクト要素（４２）がそれを通して延在する切欠部（６０）を取り囲む前記縦端縁（２８）および横端縁（３０）を画定するフレームを含む、請求項８に記載のコネクタシェル。
【請求項１０】
前記接地コンタクト要素（４０）は、前記それぞれの貫通孔（６２）内で前記接地プレート（２４）と機械的および電気的接触するための前記接地プレート（２４）のそれぞれの貫通孔（６２）で摩擦的に受け取られる、請求項１乃至９のいずれか一項に記載のコネクタシェル。
【請求項１１】
少なくとも前記接地コンタクト要素（４０）は、接地ピン（４８）を含む、請求項１乃至１０のいずれか一項に記載のコネクタシェル。
【請求項１２】
前記接地ピン（４８）は、コンプライアントピンとして設計される、請求項１１に記載のコネクタシェル。
【請求項１３】
前記接地プレート（２４）は、導電層を含む、請求項１乃至１２のいずれか一項に記載のコネクタシェル。
【請求項１４】
前記導電層は、前記接地ピン（４８）を受け取る前記貫通孔（６２）の中まで延在する、請求項１３に記載のコネクタシェル。
【請求項１５】
前記接地プレート（２４）は、導電性材料、特に金属材料製である、請求項１３または１４に記載のコネクタシェル。
【請求項１６】
前記ハウジング（１８）は、第１半部（２０）および第２半部（２２）を含み、少なくとも第１ハウジング半部（２０）は、導電性材料を含み、かつその接地された縦端縁（２８）に沿う前記接地プレート（２４）は、前記第１半部（２０）と機械的かつ電気的接触する、請求項１乃至１５のいずれか一項に記載のコネクタシェル。
【請求項１７】
複数のコンタクト要素（４６）を有するソケットコネクタ（２６）をさらに含み、各コンタクト要素（４６）は、コンタクトピン（４８）と、嵌め合いコネクタのコンタクトピンを受け取るソケット（５２）とを含む、請求項１乃至１６のいずれか一項に記載のコネクタシェル。
【請求項１８】
前記多重ワイヤケーブルアセンブリの前記個々のケーブル（１６）は、同軸ケーブルまたは双軸ケーブルを含む、請求項１乃至１７のいずれか一項に記載のコネクタシェル。
【請求項１９】
前記コンタクト要素は、（１）導電性材料のハウジング、すなわち前記ハウジング内に配置されかつ前記ハウジングと相対的に電気的絶縁され、かつコンタクト要素の前記アレイの信号要素に電気的に接続される少なくとも一つの信号コンタクト要素と、（２）前記ハウジング内に配置されるだけでなくそれに電気的に接続され、かつ前記ハウジングの前記信号コンタクト要素と相対的に電気的絶縁されかつコンタクト要素の前記アレイの接地コンタクト要素に電気的に接続される少なくとも一つの接地コンタクト要素と、を有する、端子コネクタを受け取るために設けられる、請求項１乃至１８のいずれか一項に記載のコネクタシェル。
【発明の詳細な説明】
【技術分野】
【０００１】
本発明は、多数の接地線および信号線を有する多重ワイヤケーブルアセンブリ用コネクタシェルに関する。そのようなコネクタシェルは、特に遠隔通信工業において多重信号コネクタのために用いられる。
【背景技術】
【０００２】
基本的に、同軸ケーブルを電気機器の構成部品に接続するために、それらの縦軸に関して回転対称であるコネクタおよび終端ソケットが用いられる。これらの終端ソケットの設計を用いれば、ケーブルの作用とほぼ同一である抵抗作用を実現でき、しかも良好な遮蔽効果も実現できる。回転対称同軸ケーブル終端ソケットは、特許文献１、特許文献２、および特許文献３に開示されている。これらの公知の終端ソケットのほぼ円筒状設計のために、それらは小型化にはさほど好適ではない。よって、複数のこれらの公知の終端ソケットを受け取るソケットコネクタは、必要とされる体積または空間における同軸ケーブル終端ソケットの数に関して、かなり低い密度を有するだけである。しかしながら、電気機器、特に遠隔通信マルチプレクサにおけるような情報技術機器に対する要求が増すことによって、限られた空間における接続の信号密度が高くなり、すなわちケーブル接続の数が多くなってきている。
【０００３】
同軸ケーブル終端ソケット用高密度ソケットコネクタを設計するためには、箱形同軸ケーブル終端ソケットが、終端ソケットの小型化およびソケットコネクタ内での終端ソケットの並行配置のいずれに関しても好適であるということがわかった。
【０００４】
特許文献４は、箱形同軸ケーブル終端ソケットを受け取るためのソケットコネクタを開示している。同軸ケーブル用終端ソケットの各々において、二つのコンタクト（信号および接地）は、シールドを含むハウジング内に並行かつ平行、かつ間隔をあけて配置される。複数のこれらの終端ソケットは、絶縁材料からなるソケットコネクタ本体の個々のコンパートメントまたは受け取り部分に配置される。本体は、金属材料で作られかつシールド特性を有するように設計されているエンクロージャ内に挿入される。
【０００５】
複数の同軸ケーブル終端ソケット用ソケットコネクタの類似の設計は、特許文献５に開示されている。この参照文献ならびに特許文献６では、二つの同軸ケーブルの信号線用の二つの信号コンタクトと、二つの信号コンタクト間に配置されかつ二つの同軸コンタクトのシールドに接続される一つの共通接地コンタクトとを有する同軸ケーブル終端ソケットが記載されている。しかも、ＳＣＩコネクタ（シールド制御インピーダンスコネクタ）としても公知である箱形同軸ケーブル終端ソケットは、特許文献７、特許文献８、および特許文献９に開示されている。
【０００６】
箱形設計を有する、すなわち、非同軸である設計を有する同軸ケーブル終端ソケットのある欠点の結果、ＭＨｚレンジの高周波信号について、信号送信損失および終端ソケットの信号反射特性の増加が生じる。
【０００７】
箱形同軸ケーブル終端ソケットは、基本的に、高密度実装分野に関しては満足のいくものであるが、終端ソケットを通して送信される信号の速度および周波数に関しては制約がある。ＧＨｚレンジのより高い周波数については、減衰が増える。
【０００８】
先行技術において、接地または接地ブッシングによって上記の問題を処理する試みがなされた。そのようにする一つの可能性は、各同軸ケーブルの編組またはシールド層を相互接続することであり、かつコネクタにおいてそれらを接地コンタクトとして金属ストラップに接続することである。この配置は、特に多数のケーブルについて、ケーブルごとに確実な接地を提供しない。
【０００９】
特許文献１０、特許文献１１、特許文献１２、および特許文献１３から、いくつかの同軸ケーブル用電気コネクタが記載されており、それぞれ、個々の同軸ケーブルのシールド層または編組に機械的、よって電気的接触するためのクランピングおよびグリッピング要素の形態の接地手段を有する。しかしながら、そのような配置については、超高速かつ高周波信号を送信することは不可能である。しかも、公知のソケットコネクタの、グリッピング接地手段との組立は、かなり時間がかかりかつやっかいである。
【００１０】
ハニカム接地ブロックを用いて、いくつかの同軸ケーブルの外部導体を係合させることが、特許文献１４に開示されている。この配置は、多くの部品を含み、かつ製造しかつ組み立てるのがそれぞれ高価でありかつ複雑であるので、同軸ケーブル終端に対するコスト効率の高い解決策の要求に合わない。
【００１１】
特許文献１５、特許文献１６、および特許文献１７から、波形スリーブの形状の特別な接地コンタクトによって、同軸ケーブルの外部導体を接触させることが公知である。公知の波形スリーブは、コネクタを直径の異なる同軸ケーブルに適合させるために、同軸コネクタ内に設けられている。特に、隣接する同軸コネクタの波形スリーブは、互いの間で相互接続されない。
【００１２】
しかも、先行技術では、箱形同軸ケーブル終端ソケットのハウジングを接続するための接地ブッシングストリップを用いることが公知である。そのようなソケットコネクタの例は、特許文献１８および特許文献１９に開示されている。このソケットコネクタは、多重同軸ケーブル終端ソケットを受け取るように構成され、かつ終端ソケットの外部導体ケーシングの一部を露出するように構成される二つの対向する長手方向凹部を含む。これらの露出部は、金属ストリップとして形成される二つの接続要素からなる複数の金属指によって接触される。これらの接続要素は、終端ソケットを、公知のソケットコネクタの外部ケーシング構成部品に電気的に接続し、該ケーシング構成部品は導電性である。
【００１３】
しかも、特許文献２０から、複数の同軸ケーブル終端ソケット用の他のソケットコネクタとして、終端ソケットを受け取るための金属ハウジングを有するものが公知である。金属層によって包まれた弾性円筒チューブ状要素は、横列の隣接する終端ソケットを側方向に接触させるために、終端ソケットと金属ハウジングとの間に挿入される。
【００１４】
特許文献２１から、他のコネクタが公知である。この公知のコネクタは、二つの嵌め合いコネクタ部品を含み、その一方が金属プレートが配置されるハウジングを含む。金属プレートには、他の嵌め合いコネクタ部品の接地ピンを接触させるための金属プレートの平面から曲げられる一体コンタクト要素が設けられる。しかも、金属プレートには、信号コンタクト要素を有する端子コネクタがそれを通して延在する大きな貫通孔が設けられ、該信号コンタクト要素は、二つのコネクタ部品が接合されるとき、嵌め合いコネクタ部品の信号ピンを受け取る。多重ワイヤケーブルアセンブリのケーブルの終端ソケットを受け取るさらなるソケットコネクタシェルは、特許文献２２から公知である。このソケットコネクタシェルでは、隣接端子ソケット間に、導電性材料の波形要素が、接地ブッシング手段として配置される。
【００１５】
信号の超高速送信に好適なコネクタを提供する要求を満たすために、接地、特に接地経路が改良されなければならない。
【特許文献１】米国特許第４，９４３，２４５Ａ号明細書
【特許文献２】米国特許第４，９２３，４１２Ａ号明細書
【特許文献３】独国特許第３７  ３２  ５２０号明細書
【特許文献４】米国特許第４，７６２，５０８Ａ号明細書
【特許文献５】欧州特許第０  ２８４  ２４５Ｂ号明細書
【特許文献６】米国特許第６，２０３，３６９Ｂ号明細書
【特許文献７】米国特許第５，１８４，９６５Ａ号明細書
【特許文献８】独国特許第４１  １６  １６８Ｃ号明細書
【特許文献９】独国特許第４１  １６  １６６Ｃ号明細書
【特許文献１０】米国特許第５，８２９，９９１Ａ号明細書
【特許文献１１】米国特許第５，７７５，９２４Ａ号明細書
【特許文献１２】米国特許第４，３４０，２６５Ａ号明細書
【特許文献１３】欧州特許第０  ５０８  ２５５Ｂ号明細書
【特許文献１４】米国特許第４，８８９，５００Ａ号明細書
【特許文献１５】欧州特許第０  ８９７  ２０２Ａ号明細書
【特許文献１６】独国特許第４３  ４４  ３２８Ｃ号明細書
【特許文献１７】独国特許第３３  ４１  ３５６Ａ号明細書
【特許文献１８】米国特許第６，１７１，１４３Ｂ号明細書
【特許文献１９】欧州特許第０  ９５２  ６３７Ａ号明細書
【特許文献２０】特開平１１−０７４０３７号公報
【特許文献２１】欧州特許第０  ３１１  ０４１Ａ号明細書
【特許文献２２】国際公開第０３／０１２９３４Ａ号パンフレット
【発明の開示】
【発明が解決しようとする課題】
【００１６】
本発明の目的は、信号の超高速送信に好適であるように、高められた電気性能を有する多重ワイヤケーブルアセンブリ用コネクタシェルを提供することである。
【課題を解決するための手段】
【００１７】
本発明によれば、多数の接地線および信号線を有する、多重ワイヤケーブルアセンブリ用コネクタシェルが提供され、該コネクタシェルは、
接地電位を有するハウジングと、
長手方向アレイに配置される多数のコンタクト要素であって、該コンタクト要素は、嵌め合いコネクタのコンタクト要素と電気的接触するために設けられ、かつ
（ｉ）多重ワイヤケーブルアセンブリの接地線に接続するための接地コンタクト要素と、
（ｉｉ）多重ワイヤケーブルアセンブリの信号線に接続するための信号コンタクト要素と、を含む、コンタクト要素と、
コンタクト要素のアレイに沿ってかつその長手方向に延在する長手方向接地プレートであって、該接地プレートは、二つの側端縁を有し、少なくともその一方は、ハウジングの接地電位との電気的接続のために設けられる、長手方向接地プレートと、を含み、
接地プレートは、接地コンタクト要素がそれを通して延在する貫通孔を含み、かつ
貫通孔では、接地コンタクト要素は、接地プレートに電気的に接続される。
【００１８】
本発明によるコネクタシェルには、ハウジングと、該ハウジング内の長手方向アレイに配置される多数のコンタクト要素とが設けられる。コンタクト要素は、好ましくは、隣接する横列に配置され、かつ接地コンタクト要素と信号コンタクト要素とを含む。最も好ましくは、コンタクト要素は、ピンを含む。
【００１９】
本発明によるコネクタシェルのコンタクト要素は、嵌め合いコネクタのコンタクト要素と電気的接触するために設けられる。よって、コンタクト要素は、コネクタの相互接続部品を形成する。
【００２０】
接地コンタクト要素の全てを共通に接地するために、長手方向接地プレートは、ハウジング内に配置される。接地プレートは、コンタクト要素のアレイに沿って延在し、かつ二つの縦端縁ならびに二つの横端縁を含む。
【００２１】
本発明によれば、縦端縁の少なくとも一方は、ハウジングの接地電位に電気的に接続される。好ましくは、これは、導電性材料、例えば金属を含むハウジングによって、かつハウジングの導電性材料と電気的接触している接地プレートによって実現される。
【００２２】
好ましくは、本発明によるコネクタシェルの接地コンタクト要素の全ては、接地プレートを通して、または該接地プレートによって画定される平面を通して延在する。接地コンタクト要素は、該接地コンタクト要素が、接地コンタクト要素が接地プレートに電気的に接続される、接地プレートの貫通孔を通して延在するという点で、接地プレートと機械的および電気的接触している。信号コンタクト要素は、接地プレートあるいは該接地プレートの平面を通して延在する必要がない。例えば、信号コンタクト要素は、接地プレートをバイパスすることができ、あるいは接地プレートの側端縁の上方にかつそれを越えて延在することができるだろう。
【００２３】
本発明による配置のために、接地の目的のための接地コンタクト要素の全ては、次に、その縦端縁の少なくとも一つに沿って、ハウジングの接地電位に接続される、接地プレートに接続される。これは、各接地コンタクト要素から、横方向に接地プレートを通って、その少なくとも一つの接地された縦端縁までの相対的に短い接地経路があることを意味している。これらの非常に短い接地経路のために、インピーダンスは非常に低く、したがって、コネクタシェルでの信号の高速送信が可能である。
【００２４】
本発明によるコネクタシェルの信号コンタクト要素は、接地プレートを通して延在し、またはそれに隣接して通過することができる。後者の場合には、信号コンタクト要素を、例えばその外部の接地プレートの縦端縁に沿って配置することができる。信号コンタクト要素が、接地プレートを通して延在すれば、信号コンタクト要素と接地プレートとの間のいかなる電気的接触も与えられない。例えば、信号コンタクト要素は、接地プレートに作られる切欠部を通して延在することができ、いくつかの信号コンタクト要素は、共通の切欠部を通して延在することができ、あるいは各信号コンタクト要素は、それぞれの信号コンタクト要素に関連する接地プレートの切欠部を通して延在する。切欠部内では、信号コンタクト要素は、貫通孔として設計される切欠部の端縁から間隔をあけられている。信号コンタクト要素と、関連のある切欠部すなわち貫通孔の端縁との間に、間隙が設けられる。代替として、信号コンタクト要素が、電気的絶縁材料（ジャケットのような）によって被覆されるなら、絶縁材は、切欠部の端縁と接触しうるが、信号コンタクト要素それ自体とは接触しないこともある。
【００２５】
好ましくは、接地プレートには、該接地プレートの長手方向に沿って延在し、かつ一横列の信号コンタクト要素すべてまたは横列の信号コンタクト要素すべてがそれを通して延在する一つの切欠部が設けられる。
【００２６】
本発明の好ましい実施形態によれば、コンタクト要素の長手方向アレイは、４つの隣接する横列のコンタクト要素を含み、その二つの外側横列が接地コンタクト要素を含み、かつその二つの内側横列が信号コンタクト要素を含む。そのような配置では、接地プレートを、縦端縁および横端縁を有するフレームのように設計することができ、該端縁の全ては、中央切欠部を取り囲み、それを通して、二つの内側横列のコンタクト要素の信号コンタクト要素が延在する。コンタクト要素の長手方向外側での接地コンタクト要素の配置は、非常に短い接地経路を提供し、よってコネクタシェルの電気性能を高める。
【００２７】
接地コンタクト要素と接地プレートとの間のその貫通孔での電気的接続は、例えば半田付けによって実現されうる。しかしながら、コネクタシェルを組み立てることに関しては、接地コンタクト要素と接地プレートとの間の圧入接触が好ましい。圧入接触では、接地コンタクト要素は、接地プレートのそれぞれの貫通孔に摩擦的に受け取られる。圧入接触要素は、当業者に基本的に公知であり、特に、摩擦係合のみによって接地プレートに永久接続するコンプライアントピンとして公知である。
【００２８】
本発明の他の好ましい実施形態では、接地プレートは、非導電性材料の支持層、および該支持層によって支持される導電層を含む。この配置では、導電層は、接地ピンを受け取る貫通孔の中まで延在する。よって、これらの貫通孔は、プリント回路基板から基本的に公知のビアとして設計される。
【００２９】
しかしながら、より好ましくは、接地プレートは、金属製であり、よって金属プレートとして設計されている。
【００３０】
本発明の他の実施形態によれば、接地プレートは、ハウジングの一体部品またはその一部分でありうる。しかしながら、接地プレートは、ハウジングから分離され、かつ例えばねじによってそれに装着されうるのが好ましい。プレートとハウジングとの間に、接地プレートとハウジングとの間の電位ギャップを遮蔽するための電気ガスケットが配置されうる。それらのガスケットは、当業者に基本的に公知である。
【００３１】
すでに上述したように、ハウジングは、接地電位を有する。この接地電位は、ハウジングの壁に沿って配置される導電層によって実現されうる。よって、ハウジングは、接地電位を形成する導電性材料の層によって被覆される非導電性材料の壁を含みうる。好適な電磁界干渉（ＥＭＩ）シールドを得るために、ハウジングの内部は、当業者に基本的に公知であるようなファラデーケージとして設計されるべきである。それに関して、ハウジングが金属壁を含むことが最も好ましい。
【発明を実施するための最良の形態】
【００３２】
図１では、本実施形態において、二つの多重ワイヤケーブル１４を含み、その各々が、接地線および信号線を含む（両方は示されず）、多重ワイヤケーブルアセンブリ１２用コネクタシェル１０の内部が示される。この実施形態では、ケーブル１４は、同軸ケーブルを含む。しかしながら、遠距離通信用に公知の他の種類のケーブル、例えば双軸ケーブルまたはドレインワイヤケーブルを用いることができる。この種類のケーブルは、本発明に関連していない。コネクタシェル１０は、二つのハウジング半部２０、２２を含むハウジング１８を含み、その一方は図１に示され、一方その両方は図３に部分的に示される。ハウジング１８の半部２０、２２は、金属製であり、よってファラデーケージとして設計される。固体金属ハウジング半部２０、２２の代替として、ハウジングを、導電性材料の層が設けられた非導電性材料（すなわち合成材料）で作ることができる。この導電性材料層は、以下で説明する接地プレートと（電気的かつ機械的）接触するために、ハウジング半部２０、２２の内側に配置されるべきである。
【００３３】
多重ワイヤケーブルアセンブリ１２を受け取る、その上側に対向する、コネクタシェル１０の下側に、導電性接地プレート２４およびソケットコネクタ２６によって被覆されるハウジング１８の開口部が配置される。接地プレート２４は、図２により詳細に示され、かつ二つの側端縁２８ならびに二つの横端縁３０を含む矩形である。接地プレート２４の他の特徴を後で説明する。
【００３４】
接地プレート２４は、ねじ３２によってハウジング１８に装着される。しかしながら、他の種類のメカニカルファスナーまたはクランプ等のような機械的締め付けシステムも用いることができる。また、溶接、付着等を、接地プレート２４およびハウジング１８の機械的接続のために用いることができる。
【００３５】
しかも、接地プレート２４の前には、ハウジング１８の開口部内に、ねじ３４によってハウジング１８に取り付けられるソケットコネクタ２６が配置される。ソケットコネクタ２６は、コンタクト要素４６のアレイ４４を形成するために横列および縦列に配置される複数の接地コンタクト要素４０および信号コンタクト要素４２を支持する、電気的絶縁材料のブロック３６を含む。この実施形態では、アレイ４６は、４横列のコンタクト要素４６を含み、それらの二つは、接地コンタクト要素４０を含み、他の二つは、信号コンタクト要素４２を含む。
【００３６】
この実施形態では、コンタクト要素４６は各々、ピン部４８（雄部）、（接地コンタクト要素４０のみに当てはまる）接地プレート２４と摩擦係合することができる中央部５０、および嵌め合いコネクタ要素（図示せず）の嵌め合いコンタクト要素のピン部と電気的接触するための他の部分５２（ソケットすなわち雌部分）を含む。雌部分は、ブロック３６に挿入される。上述しかつ図面に示したようなソケットコネクタ２６は、当業者に基本的に公知である。
【００３７】
図１に示されるように、ケーブル１６の各々には、導電性材料のハウジング５６を有する端子コネクタ５４が設けられる。ハウジング５６内には、ハウジング５６に対して電気的絶縁され、かつ信号コンタクト要素４２の一つに電気的に接続される信号コンタクト要素（図示せず）が配置される。しかも、ハウジング５６内には、ハウジング５６の信号コンタクト要素に対して電気的絶縁されかつハウジング５６に電気的に接続される接地コンタクト要素（図示せず）、およびコンタクト要素４６のアレイ４４の接地コンタクト要素４０の一つも配置される。図１ならびに図３では、端子コネクタ５４は、一つの信号コンタクト要素および一つの接地コンタクト要素を含むＳＣＩコネクタである。しかしながら、他の種類の端子コネクタ、特に、例えば二つの信号コンタクト要素および一つの共通接地コンタクト要素を含むような端子ＳＣＩコネクタも用いることができる。しかも、ケーブル１６の導体はまた、例えばワイヤラッピングによってコンタクト要素４６に直接接続することもできる。
【００３８】
図１および図３から特に見られうるように、端子コネクタ５４は、コンタクト要素アレイ４４のコンタクト要素４６を受け取る。この配置のために、ケーブル１６の信号線は、信号コンタクト要素４２に電気的に接続され、かつケーブル１６の接地線は、コンタクト要素アレイ４４の接地コンタクト要素４０に接続される。図３に示されるように、端子コネクタ５４は、該端子コネクタ５４をコンタクト要素４６から不注意に解除するのを防ぐために、ハウジング半部２０、２２の内面から突出し、かつ、端子コネクタ５４のハウジング５６の上方に配置されている突出リブ５８によって適所に保持される。
【００３９】
本発明の主たる態様の一つは、接地コンタクト要素４０の接地プレート２４との電気的接続、ならびに接地プレート２４のハウジング１８との電気的接続である。
【００４０】
図２からわかるように、接地プレート２４は、中央切欠部分６０、およびその両側に該切欠部６０に隣接してかつ側端縁２８に隣接して配置される２横列の貫通孔６２を有するフレームのような形にされている。切欠部６０は、コンタクト要素４６のアレイ４４の中央部分内に配置される信号コンタクト要素４２の全てが、接地プレート２４と接触することなく切欠部６０を通して延在する（図３も参照）ような大きさにされている。それに対比して、接地プレート２４の個々の貫通孔６２は、接地コンタクト要素４０の中央部分５０が、貫通孔６２内の接地プレート２４と摩擦係合するような大きさを有する（図４参照）。よって、接地コンタクト要素４０の全ては、ハウジング半部２０、２２の内面と接触する接地プレート２４に接地され（図３参照）、よってその側端縁２８の両方に沿って接地される。しかしながら、本発明にとっては、接地プレート２４の側端縁２８の一方が、ハウジング１８の接地電位に電気的に接続され、本実施形態の該接地電位が、ハウジング半部２０、２２の一方によって与えられることが必要であるだけであることに留意されたい。
【００４１】
図２からわかるように、接地プレート２４に沿う接地経路、すなわち、貫通孔６２と側端縁２８との間の距離は、比較的短く、それにより、信号送信が非常に高速度で行なわれうるので、コネクタシェル１０の電気性能が高められる。
【００４２】
図２による接地プレート２４の設計は、複数の可能な設計の一つの代替に過ぎないことに留意されたい。例えば、コンタクト要素アレイ４４はまた、二つの接地コンタクト要素の横列および二つの信号コンタクト要素の横列を含むこともあり、二つの接地コンタクト要素の横列は、互いに隣接してかつ二つの信号コンタクト要素の横列間に配置される。そのような配置では、その接地された側端縁の接地プレートは、接地プレートの接地された側端縁に隣接して位置決めされる信号コンタクト要素の横列の信号コンタクト要素が、それと接触することなく、それを通して延在する個々の貫通孔を含み、一方接地プレートは、接地された側端縁に対向するその側端縁で、他の信号コンタクト要素の横列の信号コンタクト要素が、それを通して延在する切欠部を含む。
【００４３】
最後に、コンタクト要素アレイ４４の各横列内では、交互に大小貫通孔が配置されることも可能である。小貫通孔は、接地コンタクト要素と摩擦係合しており、一方大貫通孔は、信号コンタクト要素が、接地プレートに機械的かつ電気的に接続することなく、それを通して延在する。
【００４４】
本発明を、その特定の例証的な実施形態に関連して記載しかつ図示したが、本発明がこの例証的な実施形態に限られることは意図していない。当業者は、変形および変更が、冒頭の特許請求の範囲によって画定されるような発明の範囲から逸脱することなくなされうることを認識しよう。したがって、本発明内に、添付の特許請求の範囲およびその均等物の範囲内に入るものとして、そのような変形および変更の全てを含むことが意図されている。
【図面の簡単な説明】
【００４５】
【図１】本発明の好ましい実施形態によるコネクタシェルの半分の内部を示す。
【図２】４横列のコンタクト要素アレイ用接地プレートの設計の好ましい実施形態を示す。
【図３】完全に組み立てられたコネクタシェルの図１の線ＩＩＩ−ＩＩＩに沿った断面図である。
【図４】図３の線ＩＶ−ＩＶに沿った断面図である。
【図１】
2007534110.tif 000003
【図２】
2007534110.tif 000004
【図３】
2007534110.tif 000005
【図４】
2007534110.tif 000006
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
多数の接地線および信号線を有する、多重ワイヤケーブルアセンブリ（１４）用コネクタシェルであって、前記コネクタシェルは、
接地電位を有するハウジング（１８）と、
長手方向アレイ（４４）に配置される多数のコンタクト要素（４６）であって、前記コンタクト要素（４６）は、嵌め合いコネクタのコンタクト要素と電気的接触するために設けられ、かつ
（ｉ）前記多重ワイヤケーブルアセンブリ（１４）のケーブル（２６）の前記接地線に接続するための接地コンタクト要素（４０）と、
（ｉｉ）多重ワイヤケーブルアセンブリ（１４）の前記ケーブル（１６）の前記信号線に接続するための信号コンタクト要素（４２）とを含む、コンタクト要素（４６）と、
前記コンタクト要素（４６）の前記アレイ（４４）に沿ってかつその長手方向に延在する長手方向接地プレート（２４）であって、前記接地プレート（２４）は、二つの側端縁（２８）を有し、少なくともその一方は、前記ハウジング（１８）の前記接地電位との電気的接続のために設けられる、長手方向接地プレート（２４）と、を含み、
前記接地プレート（２４）は、前記接地コンタクト要素（４０）がそれを通して延在する貫通孔（６２）を含み、
前記貫通孔（６２）では、前記接地コンタクト要素（４０）は、前記接地プレート（２４）に電気的に接続され、かつ前記貫通孔（６２）内で摩擦係合し、かつ
前記接地コンタクト要素（４０）は、前記ケーブル（１６）の前記接地線に直接接続しあるいは前記ケーブル（１６）の端子コネクタ（５４）に直接接続することができる、コネクタシェル。
【請求項２】
前記接地プレート（２４）は、前記信号コンタクト要素（４２）が、前記接地プレート（２４）と接触することなく、それを通して延在する少なくとも一つの切欠部（６０）を有する、請求項１に記載のコネクタシェル。
【請求項３】
前記接地プレート（２４）は、いくつかの切欠部（６０）を有し、かつ前記切欠部（６０）の各々は、それを通して少なくとも一つの信号コンタクト要素（４２）が、前記接地プレート（２４）と接触することなく延在する、請求項１に記載のコネクタシェル。
【請求項４】
前記切欠部（６０）は、前記接地プレート（２４）の貫通孔として設計され、かつこれらの貫通孔の各々は、それを通して信号コンタクト要素（４２）が、前記信号コンタクト要素（４２）が前記それぞれの貫通孔の端縁から電気的絶縁された状態で延在する、請求項３に記載のコネクタシェル。
【請求項５】
前記信号コンタクト要素（４２）は、切欠部（６０）すなわち貫通孔の端縁から間隔をあけられている、請求項２乃至４のいずれか一項に記載のコネクタシェル。
【請求項６】
前記コンタクト要素（４６）の前記長手方向アレイ（４４）は、少なくとも一横列の接地コンタクト要素（４０）と、少なくとも一横列の信号コンタクト要素（４２）とを含み、前記横列の接地および信号コンタクト要素（４０、４２）は、互いに隣接して配置される、請求項１乃至５のいずれか一項に記載のコネクタシェル。
【請求項７】
前記信号コンタクト要素の横列の一つ、あるいは前記少なくとも一つの信号コンタクト要素の横列は、前記接地プレート（２４）の前記接地された側端縁（２８）に対向して配置され、かつ前記接地プレート（２４）は、前記信号コンタクト要素の横列の前記信号コンタクト要素（４２）が、前記接地された側端縁（２８）に対向して、それを通して延在する切欠部（６０）を含む、請求項６に記載のコネクタシェル。
【請求項８】
前記コンタクト要素アレイ（４４）は、二つの接地コンタクト要素の横列と、二つの信号コンタクト要素の横列とを含み、前記二つの信号コンタクト要素の横列は、互いに隣接してかつ前記二つの接地コンタクト要素の横列間に配置され、かつ前記接地プレート（２４）は、いくつかの切欠部分を含み、それを通して少なくとも一つの信号コンタクト要素（４２）が延在する、請求項５または６に記載のコネクタシェル。
【請求項９】
前記接地プレート（２４）は、前記信号コンタクト要素（４２）がそれを通して延在する切欠部（６０）を取り囲む前記縦端縁（２８）および横端縁（３０）を画定するフレームを含む、請求項８に記載のコネクタシェル。
【請求項１０】
前記接地コンタクト要素（４０）は、前記それぞれの貫通孔（６２）内で前記接地プレート（２４）と機械的および電気的接触するための前記接地プレート（２４）のそれぞれの貫通孔（６２）で摩擦的に受け取られる、請求項１乃至９のいずれか一項に記載のコネクタシェル。
【請求項１１】
少なくとも前記接地コンタクト要素（４０）は、接地ピン（４８）を含む、請求項１乃至１０のいずれか一項に記載のコネクタシェル。
【請求項１２】
前記接地ピン（４８）は、コンプライアントピンとして設計される、請求項１１に記載のコネクタシェル。
【請求項１３】
前記接地プレート（２４）は、導電層を含む、請求項１乃至１２のいずれか一項に記載のコネクタシェル。
【請求項１４】
前記導電層は、前記接地ピン（４８）を受け取る前記貫通孔（６２）の中まで延在する、請求項１３に記載のコネクタシェル。
【請求項１５】
前記接地プレート（２４）は、導電性材料、特に金属材料製である、請求項１３または１４に記載のコネクタシェル。
【請求項１６】
前記ハウジング（１８）は、第１半部（２０）および第２半部（２２）を含み、少なくとも第１ハウジング半部（２０）は、導電性材料を含み、かつその接地された縦端縁（２８）に沿う前記接地プレート（２４）は、前記第１半部（２０）と機械的かつ電気的接触する、請求項１乃至１５のいずれか一項に記載のコネクタシェル。
【請求項１７】
複数のコンタクト要素（４６）を有するソケットコネクタ（２６）をさらに含み、各コンタクト要素（４６）は、コンタクトピン（４８）と、嵌め合いコネクタのコンタクトピンを受け取るソケット（５２）とを含む、請求項１乃至１６のいずれか一項に記載のコネクタシェル。
【請求項１８】
前記多重ワイヤケーブルアセンブリの前記個々のケーブル（１６）は、同軸ケーブルまたは双軸ケーブルを含む、請求項１乃至１７のいずれか一項に記載のコネクタシェル。
【請求項１９】
前記コンタクト要素は、（１）導電性材料のハウジング、すなわち前記ハウジング内に配置されかつ前記ハウジングと相対的に電気的絶縁され、かつコンタクト要素の前記アレイの信号要素に電気的に接続される少なくとも一つの信号コンタクト要素と、（２）前記ハウジング内に配置されるだけでなくそれに電気的に接続され、かつ前記ハウジングの前記信号コンタクト要素と相対的に電気的絶縁されかつコンタクト要素の前記アレイの接地コンタクト要素に電気的に接続される少なくとも一つの接地コンタクト要素と、を有する、端子コネクタを受け取るために設けられる、請求項１乃至１８のいずれか一項に記載のコネクタシェル。
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
多数の接地線および信号線を有する、多重ワイヤケーブルアセンブリ（１４）用コネクタシェルであって、前記コネクタシェルは、
接地電位を有するハウジング（１８）と、
長手方向アレイ（４４）に配置される多数のコンタクト要素（４６）であって、前記コンタクト要素（４６）は、嵌め合いコネクタのコンタクト要素と電気的接触するために設けられ、かつ
（ｉ）前記多重ワイヤケーブルアセンブリ（１４）のケーブル（２６）の前記接地線に接続するための接地コンタクト要素（４０）と、
（ｉｉ）多重ワイヤケーブルアセンブリ（１４）の前記ケーブル（１６）の前記信号線に接続するための信号コンタクト要素（４２）とを含む、コンタクト要素（４６）と、
前記コンタクト要素（４６）の前記アレイ（４４）に沿ってかつその長手方向に延在する長手方向接地プレート（２４）であって、前記接地プレート（２４）は、二つの側端縁（２８）を有し、少なくともその一方は、前記ハウジング（１８）の前記接地電位との電気的接続のために設けられる、長手方向接地プレート（２４）と、を含み、
前記接地プレート（２４）は、前記接地コンタクト要素（４０）がそれを通して延在する貫通孔（６２）を含み、
前記貫通孔（６２）では、前記接地コンタクト要素（４０）は、前記接地プレート（２４）に電気的に接続され、かつ
前記接地コンタクト要素（４０）は、前記ケーブル（１６）の前記接地線に直接接続しあるいは前記ケーブル（１６）の端子コネクタ（５４）に直接接続することができる、コネクタシェル。
【請求項２】
前記接地プレート（２４）は、前記信号コンタクト要素（４２）が、前記接地プレート（２４）と接触することなく、それを通して延在する少なくとも一つの切欠部（６０）を有する、請求項１に記載のコネクタシェル。
【請求項３】
前記切欠部（６０）の少なくとも一つは、前記接地プレート（２４）の貫通孔として設計され、かつ該貫通孔は、それを通して延在する信号コンタクト要素（４２）を有し、前記信号コンタクト要素（４２）が前記それぞれの貫通孔の端縁から電気的絶縁されている、請求項２に記載のコネクタシェル。
【請求項４】
前記ハウジング（１８）は、第１半部（２０）および第２半部（２２）を含み、少なくとも第１ハウジング半部（２０）は、導電性材料を含み、かつその接地された縦端縁（２８）に沿う前記接地プレート（２４）は、前記第１半部（２０）と機械的かつ電気的接触する、請求項１記載のコネクタシェル。
【請求項５】
前記コンタクト要素は、（１）導電性材料のハウジング、すなわち前記ハウジング内に配置されかつ前記ハウジングと相対的に電気的絶縁され、かつコンタクト要素の前記アレイの信号要素に電気的に接続される少なくとも一つの信号コンタクト要素と、（２）前記ハウジング内に配置されるだけでなくそれに電気的に接続され、かつ前記ハウジングの前記信号コンタクト要素と相対的に電気的絶縁されかつコンタクト要素の前記アレイの接地コンタクト要素に電気的に接続される少なくとも一つの接地コンタクト要素と、を有する、端子コネクタを受け取るために設けられる、請求項１記載のコネクタシェル。
【手続補正２】
【補正対象書類名】明細書
【補正対象項目名】００３５
【補正方法】変更
【補正の内容】
【００３５】
しかも、接地プレート２４の前には、ハウジング１８の開口部内に、ねじ３４によってハウジング１８に取り付けられるソケットコネクタ２６が配置される。ソケットコネクタ２６は、コンタクト要素４６のアレイ４４を形成するために横列および縦列に配置される複数の接地コンタクト要素４０および信号コンタクト要素４２を支持する、電気的絶縁材料のブロック３６を含む。この実施形態では、アレイ４４は、４横列のコンタクト要素４６を含み、それらの二つは、接地コンタクト要素４０を含み、他の二つは、信号コンタクト要素４２を含む。
【手続補正３】
【補正対象書類名】図面
【補正対象項目名】図４
【補正方法】変更
【補正の内容】
【図４】
2007534110.tif 000007
【国際調査報告】
2007534110.tif 000008
2007534110.tif 000009
2007534110.tif 000010